(57)【要約】【課題】戸先に取り付け可能でありながらも、構造の簡略化を図り得る引手及びこれを備えた引戸を提供する。【解決手段】引戸パネル３０の戸先側端部３２の高さ方向途中部位に設けられ戸幅方向外側に開口する切欠状の取付凹所３３に取り付けられる引手１であって、戸厚方向両側から組み付けられて互いに係止する係止部１４ｂ，２４ａ，１７ａ，２７ａ，１９ａ，２９ａによって一体化される第１引手部材１０及び第２引手部材２０を備えており、前記第１引手部材には、前記取付凹所の内面３４に止着される止具９の止着部１４ａが設けられ、前記第２引手部材には、前記第１引手部材と一体化された状態で前記止着部を覆うカバー部２４が設けられている。【選択図】図１
2020016099.tif 000002
【特許請求の範囲】
【請求項１】
引戸パネルの戸先側端部の高さ方向途中部位に設けられ戸幅方向外側に開口する切欠状の取付凹所に取り付けられる引手であって、
戸厚方向両側から組み付けられて互いに係止する係止部によって一体化される第１引手部材及び第２引手部材を備えており、
前記第１引手部材には、前記取付凹所の内面に止着される止具の止着部が設けられ、前記第２引手部材には、前記第１引手部材と一体化された状態で前記止着部を覆うカバー部が設けられていることを特徴とする引手。
【請求項２】
請求項１において、
前記第１引手部材の止着部は、前記取付凹所の戸幅方向外側に向く内底面に沿わせられる部位に設けられていることを特徴とする引手。
【請求項３】
請求項１または２において、
前記第２引手部材のカバー部は、当該第２引手部材によって形成される手掛凹所の内周部を区画する周壁部であることを特徴とする引手。
【請求項４】
請求項１乃至３のいずれか１項において、
前記第１引手部材は、戸厚方向一方側において開口する第１手掛凹所の凹底部を区画する戸厚方向に厚さ方向を沿わせて配される底板部と、この底板部の外周部に連なるように設けられ、前記第１手掛凹所の内周部を区画する周壁部と、を備え、前記第２引手部材には、戸厚方向他方側において開口する第２手掛凹所の内周部を区画する周壁部と、この周壁部の内周側において前記第１引手部材の底板部を前記第２手掛凹所の凹底部として露出させる貫通孔と、が設けられていることを特徴とする引手。
【請求項５】
引戸パネルの戸先側端部の高さ方向途中部位に設けられ戸幅方向外側に開口する切欠状の取付凹所に取り付けられる引手であって、
戸厚方向両側から組み付けられて互いに係止する係止部によって一体化される第１引手部材及び第２引手部材を備えており、
前記第１引手部材は、戸厚方向一方側において開口する第１手掛凹所の凹底部を区画する戸厚方向に厚さ方向を沿わせて配される底板部と、この底板部の外周部に連なるように設けられ、前記第１手掛凹所の内周部を区画する周壁部と、を備え、前記第２引手部材には、戸厚方向他方側において開口する第２手掛凹所の内周部を区画する周壁部と、この周壁部の内周側において前記第１引手部材の底板部を前記第２手掛凹所の凹底部として露出させる貫通孔と、が設けられていることを特徴とする引手。
【請求項６】
請求項１乃至５のいずれか１項において、
前記第１引手部材及び前記第２引手部材によって形成される戸厚方向両側の手掛凹所の戸先側部位を区画する戸先側壁部は、前記引戸パネルの戸厚方向両側の表面から段落状に形成されていることを特徴とする引手。
【請求項７】
請求項１乃至６のいずれか１項に記載の引手と、この引手が取り付けられる戸幅方向外側に開口する切欠状の取付凹所が戸先側端部の高さ方向途中部位に設けられた引戸パネルと、を備えていることを特徴とする引戸。
【発明の詳細な説明】
【技術分野】
【０００１】
本発明は、引手及びこれを備えた引戸に関する。
【背景技術】
【０００２】
従来より、引戸の戸先側端部に取り付けられる引手が知られている。このような引手としては、引戸を厚さ方向に貫通する貫通孔に戸厚方向両側から嵌め込まれて取り付けられる構成とされたものがあるが、例えば、戸袋に収納される引戸等においては、より戸先に設けられることが望まれる。
例えば、下記特許文献１には、引戸の木口端に形成された切欠部に装着される引手が開示されている。この引手は、木口端側に設けられる第一引手部材と、切欠部の切欠面側に設けられる左右一対の第二手掛かり部からなる第二引手部材と、第二手掛かり部の重ね合わせ部の開孔部に連通される第一引手部材の開孔部を覆うカバーと、を備えている。
【先行技術文献】
【特許文献】
【０００３】
【特許文献１】特開２０１８−１２９９１号公報
【発明の概要】
【発明が解決しようとする課題】
【０００４】
しかしながら、上記特許文献１に記載された引手では、部品点数が多くなり、更なる改善が望まれる。
【０００５】
本発明は、上記実情に鑑みてなされたものであり、戸先に取り付け可能でありながらも、構造の簡略化を図り得る引手及びこれを備えた引戸を提供することを目的としている。
【課題を解決するための手段】
【０００６】
前記目的を達成するために、本発明に係る引手は、引戸パネルの戸先側端部の高さ方向途中部位に設けられ戸幅方向外側に開口する切欠状の取付凹所に取り付けられる引手であって、戸厚方向両側から組み付けられて互いに係止する係止部によって一体化される第１引手部材及び第２引手部材を備えており、前記第１引手部材には、前記取付凹所の内面に止着される止具の止着部が設けられ、前記第２引手部材には、前記第１引手部材と一体化された状態で前記止着部を覆うカバー部が設けられていることを特徴とする。
【０００７】
また、前記目的を達成するために、本発明に係る引手は、引戸パネルの戸先側端部の高さ方向途中部位に設けられ戸幅方向外側に開口する切欠状の取付凹所に取り付けられる引手であって、戸厚方向両側から組み付けられて互いに係止する係止部によって一体化される第１引手部材及び第２引手部材を備えており、前記第１引手部材は、戸厚方向一方側において開口する第１手掛凹所の凹底部を区画する戸厚方向に厚さ方向を沿わせて配される底板部と、この底板部の外周部に連なるように設けられ、前記第１手掛凹所の内周部を区画する周壁部と、を備え、前記第２引手部材には、戸厚方向他方側において開口する第２手掛凹所の内周部を区画する周壁部と、この周壁部の内周側において前記第１引手部材の底板部を前記第２手掛凹所の凹底部として露出させる貫通孔と、が設けられていることを特徴とする。
【０００８】
また、前記目的を達成するために、本発明に係る引戸は、本発明に係る引手と、この引手が取り付けられる戸幅方向外側に開口する切欠状の取付凹所が戸先側端部の高さ方向途中部位に設けられた引戸パネルと、を備えていることを特徴とする。
【発明の効果】
【０００９】
本発明に係る引手及びこれを備えた引戸は、上述のような構成としたことで、戸先に取り付け可能でありながらも、構造の簡略化を図ることができる。
【図面の簡単な説明】
【００１０】
【図１】（ａ）〜（ｃ）は、本発明の一実施形態に係る引手及びこれを備えた引戸の一例を模式的に示し、（ａ）は、図２におけるＹ−Ｙ線矢視に対応させた一部破断概略横断面図、（ｂ）は、同引戸の一部破断概略横断面図、（ｃ）は、同引戸の一部破断概略正面図である。
【図２】図１（ａ）におけるＸ−Ｘ線矢視に対応させた一部破断概略縦断面図である。
【図３】（ａ）は、同引手の概略斜視図、（ｂ）は、同引手の概略分解斜視図である。
【図４】（ａ）は、同引手が備える第１引手部材の一例を模式的に示す概略斜視図、（ｂ）は、同引手が備える第２引手部材の一例を模式的に示す概略斜視図である。
【図５】（ａ）は、同引戸が備える引戸パネルの一例を模式的に示す図１（ｃ）に対応させた一部破断概略正面図、（ｂ）は、同引戸パネルを示す図１（ｂ）に対応させた一部破断概略横断面図、（ｃ）は、同引戸を示す図１（ｂ）に対応させた一部破断概略分解横断面図である。
【発明を実施するための形態】
【００１１】
以下に本発明の実施の形態について、図面に基づいて説明する。
なお、一部の図では、他図に付している詳細な符号の一部を省略している。
また、以下の実施形態では、本実施形態に係る引手を取り付けた引戸を施工した状態を基準として上下方向等の方向を説明する。
【００１２】
図１〜図５は、本実施形態に係る引手の一例及びこれを備えた引戸の一例を模式的に示す図である。
本実施形態に係る引手１は、図１に示すように、引戸パネル３０の戸先側端部３２の高さ方向途中部位に設けられ戸幅方向外側（戸先側）に開口する切欠状の取付凹所３３に取り付けられる。本実施形態に係る引戸２は、この引手１と、この引手１が取り付けられる戸幅方向外側に開口する切欠状の取付凹所３３が戸先側端部３２の高さ方向途中部位に設けられた引戸パネル３０と、を備えている。
【００１３】
引戸パネル３０は、住居等の建物内の間仕切壁４を貫通するように設けられた出入口となる開口３を開閉する構成とされている。図例では、一枚の引戸パネル３０を、片引き状に配した例を示している。また、開口３の間口方向一方側に、この引戸パネル３０が納められる戸袋６を設けた例を示している。つまり、図例では、引戸パネル３０を、戸袋納めで建て付けた例を示している。また、引戸パネル３０が建て付けられる戸枠４０を設けた例を示している。この戸枠４０と引戸２とによって引戸装置を構成するものでもよい。なお、開口３の間口方向両側に戸袋６を設け、これらのそれぞれに収納される引戸パネル３０を両引き（引き分け）状に設けた構成としてもよい。この場合は、後記する戸枠４０を適宜、変形するようにすればよい。
【００１４】
戸枠４０は、図１（ａ）及び図２に示すように、開口３の上側（天側）を区画する上枠４１を備えている。なお、開口３の下側は、図例のように床によって区画された例に限られず、下枠等によって区画されたものでもよい。また、図例では、上枠４１の上側に間仕切壁４を構成する垂れ壁を設けた例を示しているが、このような態様に代えて、上枠４１を天井に付設状や埋込状に設けた態様等としてもよい。
また、上枠４１には、引戸パネル３０の上端側を戸幅方向にスライド自在にガイドするガイド部材としての上レール４２が設けられている。
【００１５】
上レール４２は、引戸パネル３０を吊下支持する構成とされている。つまり、本実施形態では、引戸パネル３０は、上吊型で建て付けられる構成とされている。この上レール４２は、上枠４１の概ね全長に亘って延びるように設けられている。図例では、上枠４１に、上レール４２の上側部位を受け入れる受入溝を設けた例を示している。また、上レール４２には、引戸パネル３０の上端側をガイドするガイド溝４３が長手方向に延びるように設けられている。ガイド溝４３は、上レール４２の全長に亘って設けられ、下向きに開口するように設けられている。上レール４２には、このガイド溝４３の溝底側となる上側を区画する天壁部と、溝幅方向両側を区画する両側壁部と、両側壁部の下端部から互いに向き合う方向に突出する案内片部と、が設けられている。
【００１６】
また、戸枠４０は、上端部が上枠４１の長手方向第１端部に接合され、閉鎖状態の引戸パネル３０の戸先側端部３２が当接または近接される戸先側縦枠４４を備えている。この戸先側縦枠４４は、開口３の戸先側を区画する。また、戸先側縦枠４４には、引戸パネル３０の戸先側端部３２を受け入れる戸じゃくり溝が上下方向（戸高方向に沿う方向）に延びるように設けられている。
また、戸枠４０は、上端部が上枠４１の長手方向第２端部に接合され、全開状態の引戸パネル３０の戸尻側端部が当接または近接される戸尻側縦枠４５を備えている。この戸尻側縦枠４５は、戸袋６の収納方向奥側を区画する。なお、この戸尻側縦枠４５に、引戸パネル３０の戸尻側端部が当接または弾接するストッパー部や緩衝体を設けるようにしてもよい。
【００１７】
また、戸枠４０は、上端部が上枠４１の長手方向途中部位に接合され、戸袋６の戸袋口の壁厚方向両側を区画する一対の中方立４６，４６を備えている。これら中方立４６，４６は、開口３の戸尻側を区画する。これら中方立４６，４６は、壁厚方向に間隔を空けて互いに対向するように設けられる。これら中方立４６，４６は、引戸パネル３０を戸袋６に収納させた状態（全開状態）で、戸先側に向く開口内側面が引戸パネル３０の戸先側端面と略同一平面状となる構成とされている。また、これら中方立４６，４６の互いに対向する対向面４７，４７が全開状態の引戸パネル３０の戸先側端部３２の戸厚方向両側の表面３１，３１のそれぞれに近接して対面される。なお、図例では、固定枠状の戸枠４０を例示しているが、額縁を備えたケーシング枠状のものとしてもよい。
【００１８】
戸袋６は、図１（ａ）に示すように、戸幅方向一方側となる開口３側に向けて開口するように設けられ、引戸パネル３０の収納空間を構成する。この戸袋６の戸幅方向に沿う寸法は、引戸パネル３０の収納が可能なように引戸パネル３０の戸幅寸法に応じた寸法とされている。本実施形態では、戸袋６の戸幅寸法を、引戸パネル３０の全体を収納可能な寸法としている。この戸袋６は、上側が上枠４１（上レール４２）によって区画され、下側が床によって区画されている。また、この戸袋６の壁厚方向両側は、間仕切壁４の壁厚方向両側の各壁面にそれぞれ一連状（面一状）に設けられた壁厚方向両側の壁体５，５によって区画されている。上記した中方立４６，４６は、これら壁厚方向両側の壁体５，５のそれぞれの開口３側の端部に沿うように設けられている。なお、これら壁体５，５は、間仕切壁４を構成する壁下地ボードが一連状に設けられて形成されたものでもよく、間仕切壁４とは別体的に設けられた袖壁状の一対の壁部を備えたものでもよく、戸袋６を形成するように一体的に形成されたものでもよい。
【００１９】
上記構成とされた戸枠４０にスライド自在に建て付けられる引戸パネル３０は、略矩形平板状とされている。
この引戸パネル３０の上端部には、図２に示すように、上レール４２に案内支持される被ガイド部材としてのランナー３７が設けられている。ランナー３７は、図示を省略しているが、引戸パネル３０の上端部の戸幅方向両側端部のそれぞれに設けられている。これらランナー３７には、上レール４２のガイド溝４３に挿入され、案内片部上を走行する転動体が設けられている。これら転動体は、戸厚方向に沿う軸回りに転動するローラーでもよい。また、各ランナー３７に、両側の案内片部のそれぞれを走行するように、戸厚方向に間隔を空けて転動体を設けた構成としている。また、各ランナー３７に、これら転動体を戸幅方向に間隔を空けて設けた構成としてもよい。なお、引戸パネル３０の上端部に設けられる被ガイド部材及びこの被ガイド部材を案内支持する上レール４２としては、上記のような構成とされたものに限られず、その他、種々の構成とされたものでもよい。
【００２０】
また、引戸パネル３０の下端部には、床側に設置される下端ガイド部材４８が挿入（遊挿）される被ガイド溝３６が設けられている。この被ガイド溝３６は、引戸パネル３０の下端面において下方側に向けて開口するように、かつ戸幅方向に延びるように設けられている。この被ガイド溝３６に挿入される下端ガイド部材４８としては、床に固定されるベース部から上方側に向けてピン状のガイド部を突出させた固定ガイドピンでもよい。また、下端ガイド部材４８は、戸幅方向に間隔を空けて複数箇所に設置されるものでもよい。なお、下端ガイド部材４８としては、固定ガイドピンに限られず、磁石を有したガイドピンを床に埋込状に配される収容部に対して上下方向に出没自在に設けたマグネットガイドであってもよい。この場合は、被ガイド溝３６の適所に、下端ガイド部材４８に対応させて磁石や磁性体等を設けた構成としてもよい。
【００２１】
引戸パネル３０の戸先側端部３２に設けられた取付凹所３３は、図５（ａ）、（ｂ）に示すように、戸厚方向の全体に亘って切欠状に設けられている。この取付凹所３３は、戸厚方向に見て略方形状とされ、内面を構成する戸幅方向外側に向く内底面３４及び上下方向に向く両側の内側面３５，３５によって区画されている。
この取付凹所３３は、後記する引手１が操作し易い高さ位置となるように、適宜の高さ位置に設けられたものでもよい。また、この取付凹所３３の上下方向に沿う寸法や戸幅方向に沿う寸法は、後記する引手１の寸法に応じて適宜の寸法とすればよい。
【００２２】
なお、この取付凹所３３は、引戸パネル３０の戸先側端部３２に内底面３４及び両側の内側面３５，３５を構成するように組み付けられた適宜の下地桟によって形成されたものでもよく、下地桟に切削加工等を施して形成されたものでもよい。また、引戸パネル３０は、四周枠内に適宜の横桟や縦桟、下地桟等を設けたパネル芯材の四周表面に適宜の面材が貼着されたいわゆるフラッシュパネルでもよい。また、引戸パネル３０の戸先側端面及び戸先側縦枠４４の戸じゃくり溝の溝底の両方または一方に、引手１の戸先側部位の戸じゃくり溝の溝底への当接を抑制する突部や緩衝体（クリアーバンパー）等を設けた構成としてもよい。
【００２３】
引手１は、図３、図４及び図５（ｃ）に示すように、戸厚方向両側から組み付けられて互いに係止する係止部１４ｂ，２４ａ，１７ａ，２７ａ，１９ａ，２９ａによって一体化される第１引手部材１０及び第２引手部材２０を備えている。なお、以下では、引手１の各部について、当該引手１が引戸パネル３０に組み付けられた状態を基準として説明する場合がある。
第１引手部材１０は、図１（ｂ）、（ｃ）に示すように、戸厚方向一方側において開口する第１手掛凹所１１の凹底部を区画する戸厚方向に厚さ方向を沿わせて配される底板部１２を備えている。また、第１引手部材１０は、この底板部１２の外周部に連なるように設けられ、第１手掛凹所１１の内周部を区画する周壁部としての上下の横壁部１３，１３、戸尻側壁部１４及び戸先側壁部１５を備えている。また、第１引手部材１０には、引戸パネル３０の取付凹所３３の内面としての内底面３４に止着される止具９の止着部としての戸尻側突片部１４ａが設けられている。この戸尻側突片部１４ａは、本実施形態では、取付凹所３３の戸幅方向外側に向く内底面３４に沿わせられる部位に設けられている。
【００２４】
第２引手部材２０は、図１（ｂ）及び図３（ａ）に示すように、戸厚方向他方側において開口する第２手掛凹所２１の内周部を区画する周壁部としての上下の横壁部２３，２３、戸尻側壁部２４及び戸先側壁部２５を備えている。また、第２引手部材２０には、図３に示すように、この周壁部を構成する上下の横壁部２３，２３、戸尻側壁部２４及び戸先側壁部２５の内周側において第１引手部材１０の底板部１２を第２手掛凹所２１の凹底部として露出させる貫通孔２２が設けられている。また、第２引手部材２０には、第１引手部材１０と一体化された状態で止着部を構成する戸尻側突片部１４ａを覆うカバー部としての戸尻側壁部２４が設けられている。つまり、本実施形態では、カバー部は、当該第２引手部材２０によって形成される第２手掛凹所２１の内周部を区画する周壁部を構成する戸尻側壁部２４とされている。また、本実施形態では、第１引手部材１０及び第２引手部材２０によって形成される戸厚方向両側の手掛凹所１１，２１の戸先側部位を区画する戸先側壁部１５，２５を、引戸パネル３０の戸厚方向両側の表面３１，３１から段落状に設けた構成としている。また、本実施形態では、第１引手部材１０及び第２引手部材２０のそれぞれを、上下方向中心線を対称軸として線対称状としている。
【００２５】
第１引手部材１０の底板部１２は、図１（ｃ）に示すように、戸厚方向（組付方向）に見て、略方形状とされている。図例では、底板部１２を、上下方向に長尺な略矩形板状としている。この底板部１２は、図１（ｂ）に示すように、引戸パネル３０の戸厚方向略中心に位置するように配される構成とされている。つまり、この底板部１２の戸厚方向両側には、互いに戸厚方向に沿う深さ寸法が略同寸法とされた第１手掛凹所１１及び第２手掛凹所２１が設けられる。
第１引手部材１０の第１手掛凹所１１の上下両側を区画する上下の横壁部１３，１３は、上下方向に厚さ方向を沿わせて配される板状とされている。これら上下の横壁部１３，１３は、互いに平行状に設けられている。また、これら上下の横壁部１３，１３は、底板部１２の上下の縁部から戸厚方向一方側に向けて突出するように設けられている。
これら上下の横壁部１３，１３は、取付凹所３３の上下の各内側面３５，３５に当接または近接して配される構成とされている。
【００２６】
本実施形態では、第１引手部材１０は、図４（ａ）に示すように、これら上下の横壁部１３，１３に連なるように、かつ底板部１２の上下の縁部から戸厚方向他方側に向けて突出するように設けられた横突片部１３ａ，１３ａを備えている。これら横突片部１３ａ，１３ａの上下方向外側に向く面は、上下の横壁部１３，１３の上下方向外側に向く面とそれぞれ面一状とされている。また、これら横突片部１３ａ，１３ａの互いに対向する面は、上下の横壁部１３，１３の互いに対向する面とそれぞれ同一平面状となるように設けられている。つまり、上下の横突片部１３ａ，１３ａと上下の横壁部１３，１３とは、互いに略同厚さ寸法とされている。
また、これら横突片部１３ａ，１３ａは、取付凹所３３の上下の各内側面３５，３５に当接または近接される。これら横壁部１３，１３と横突片部１３ａ，１３ａとを足し合わせた戸厚方向に沿う寸法は、引戸パネル３０の戸厚寸法と略同寸法とされている。つまり、これら横壁部１３，１３及び横突片部１３ａ，１３ａによって取付凹所３３の上下の各内側面３５，３５が略全体に亘って覆われる構成とされている。
【００２７】
第１引手部材１０の第１手掛凹所１１の戸尻側を区画する戸尻側壁部１４は、図１（ｂ）に示すように、戸幅方向に厚さ方向を沿わせて配される板状とされている。この戸尻側壁部１４は、底板部１２の戸尻側の縁部から戸厚方向一方側に向けて突出するように設けられている。また、この戸尻側壁部１４の上下の縁部は、上下の横壁部１３，１３に連なるように設けられている。この戸尻側壁部１４は、取付凹所３３の内底面３４に当接または近接して配される構成とされている。
また、本実施形態では、止着部を構成する戸尻側突片部１４ａを、この戸尻側壁部１４に連なるように、かつ底板部１２の戸尻側の縁部から戸厚方向他方側に向けて突出させるように設けた構成としている。この戸尻側突片部１４ａの戸尻側（戸幅方向中心側）に向く面は、戸尻側壁部１４の戸尻側に向く面と面一状とされている。つまり、戸尻側突片部１４ａは、戸幅方向に厚さ方向を沿わせて配される板状とされ、取付凹所３３の内底面３４に当接または近接して配される構成とされている。また、この戸尻側突片部１４ａの上下の縁部は、上記した上下の横突片部１３ａ，１３ａに連なるように設けられている（図４（ａ）参照）。
【００２８】
また、この戸尻側突片部１４ａには、図３（ｂ）及び図４（ａ）に示すように、止具９が挿通される挿通孔１４ｃが厚さ方向に貫通して設けられている。また、戸尻側突片部１４ａに、上下方向に間隔を空けて複数（図例では、２つ）の挿通孔１４ｃ，１４ｃを設けた構成としている。これら挿通孔１４ｃ，１４ｃは、戸幅方向外側に、止具９の頭部を受け入れるざぐり状（図例では、皿ざぐり状）の凹所を設けた形状とされている。
また、戸尻側突片部１４ａには、図３（ｂ）及び図５（ｃ）に示すように、係止部を構成する第１係止部１４ｂが設けられている。この第１係止部１４ｂは、戸尻側突片部１４ａの戸幅方向外側に向く面に設けられている。また、第１係止部１４ｂは、上下に延びるように形成された複数の係止突条を戸厚方向に並列状に設けた構成とされている。また、この戸尻側突片部１４ａの厚さ寸法（戸幅方向に沿う寸法）は、戸尻側壁部１４の同方向に沿う厚さ寸法の概ね１／２の寸法とされている。
【００２９】
また、本実施形態では、図１（ｃ）に示すように、第１引手部材１０に、取付凹所３３の戸厚方向一方側縁部を覆う覆い片部１８を設けた構成としている。この覆い片部１８は、戸厚方向に厚さ方向を沿わせて配される板状とされ、取付凹所３３の戸厚方向一方側縁部近傍の表面３１を覆うように設けられている。また、この覆い片部１８の戸厚方向中心側に向く面は、引戸パネル３０の戸厚方向一方側の表面３１に当接または近接して配される構成とされている。また、覆い片部１８は、戸尻側壁部１４の戸厚方向一方側（外側）端部から戸尻側に向けて突出する戸尻側覆い片部１８ａと、上下の横壁部１３，１３の戸厚方向一方側（外側）端部から上下方向外側に向けて突出する横覆い片部１８ｂ，１８ｂと、を備えている。これら戸尻側覆い片部１８ａと上下の横覆い片部１８ｂ，１８ｂとは、一連状に設けられている。つまり、覆い片部１８は、戸厚方向に見て、取付凹所３３の戸厚方向一方側縁部を囲むように、略Ｃ字状（略コ字状）に設けられている。図例では、戸尻側覆い片部１８ａの戸幅方向に沿う幅寸法を、上下の横覆い片部１８ｂ，１８ｂの上下方向に沿う幅寸法よりも小とした例を示しているが、このような例に限られない。
【００３０】
第１引手部材１０の第１手掛凹所１１の戸先側を区画する戸先側壁部１５は、図１（ｂ）に示すように、戸幅方向に厚さ方向を沿わせて配される板状とされている。この戸先側壁部１５は、戸厚方向外側面（戸厚方向一方側に向く面）が上下の横覆い片部１８ｂ，１８ｂから戸厚方向中心側に段落状となるように設けられている。また、この戸先側壁部１５は、底板部１２の戸先側の縁部から戸厚方向一方側に向けて突出するように設けられている。この戸先側壁部１５の戸厚方向に沿う突出寸法は、戸尻側壁部１４の同方向に沿う突出寸法よりも小とされている。この戸先側壁部１５の突出寸法は、図１（ａ）において二点鎖線で示すように、手指の手掛けが可能で、かつ全開状態で戸袋６の戸袋口を構成する中方立４６の対向面４７との間に手指の挿入が可能となるように適宜の寸法としてもよい。つまりは、全開状態の引戸パネル３０の引手１の上下両側部位の戸先側端部３２の表面３１と中方立４６の対向面４７との間においては、手指の挿入が不能であるが、当該引手１が設けられた部位では、手指の挿入が可能とされている。引戸パネル３０が全開状態における戸袋６の戸袋口を構成する中方立４６の対向面４７と戸先側壁部１５との間の寸法は、２０ｍｍ〜４０ｍｍ程度でもよい。図例では、戸先側壁部１５の突出寸法を、戸尻側壁部１４の突出寸法の１／２以下とした例を示しているが、このような例に限られない。
【００３１】
また、この戸先側壁部１５の上下の縁部は、上下の横壁部１３，１３に連なるように設けられている。
また、本実施形態では、図１（ｂ）に示すように、この戸先側壁部１５の突出方向先端部（戸厚方向外側端部）から戸先側（戸幅方向外側）に向けて延びる帯状表面部１６を設けた構成としている。この帯状表面部１６は、戸厚方向外側に向く面が引戸パネル３０の表面３１と平行状に配される構成とされている。また、この帯状表面部１６は、戸厚方向外側に向く面が上下の横覆い片部１８ｂ，１８ｂから戸厚方向中心側に段落状となるように設けられている。
また、この帯状表面部１６は、延出方向先端面（戸幅方向外側端面）が当該第１引手部材１０の戸幅方向外側端面と同一平面状となるように設けられている。この帯状表面部１６の戸幅方向に沿う幅寸法は、戸先側壁部１５への手掛性の観点等から適宜の寸法としてもよい。図例では、この帯状表面部１６の幅寸法を、底板部１２の同方向に沿う幅寸法の１／２程度の寸法とした例を示している。
また、この帯状表面部１６は、戸厚方向に厚さ方向を沿わせて配される板状とされている。また、この帯状表面部１６の上下の縁部は、上下の横壁部１３，１３に連なるように設けられている。また、本実施形態では、この帯状表面部１６の延出方向先端部から戸厚方向他方側に向けて突出するように戸先側係合片部１７を設けた構成としている。
【００３２】
戸先側係合片部１７は、戸幅方向に厚さ方向を沿わせて配される板状とされている。また、この戸先側係合片部１７は、後記する第２引手部材２０の戸先側係合片部２７の厚さに対応させて、帯状表面部１６の延出方向先端面よりも戸幅方向中心側に位置するように設けられている（図５（ｃ）も参照）。また、この戸先側係合片部１７は、図３（ｂ）に示すように、上下の縁部と上下の横壁部１３，１３との間に隙間が形成されるように設けられている。この隙間は、後記する第２引手部材２０の戸先側係合片部２７の上下の縁部から戸尻側に段下状に設けられた段壁部の受入が可能なように設けられている。
また、この戸先側係合片部１７には、図１（ｂ）及び図３（ｂ）に示すように、係止部を構成する第２係止部１７ａが設けられている。この第２係止部１７ａは、第１係止部１４ｂと同様、戸先側係合片部１７の戸幅方向外側に向く面に設けられている。また、第２係止部１７ａは、上下に延びるように形成された複数の係止突条を戸厚方向に並列状に設けた構成とされている。
【００３３】
また、本実施形態では、図１（ｃ）及び図２に示すように、第１引手部材１０に、取付凹所３３の戸先側の上下の縁部を覆うように配される上下の係合片部１９，１９を設けた構成としている。これら上下の係合片部１９，１９は、戸幅方向に厚さ方向を沿わせて配される板状とされ、取付凹所３３の戸先側の上下の縁部近傍の戸先側端面を覆うように設けられている。
これら上下の係合片部１９，１９は、図３及び図４（ａ）に示すように、上下の横壁部１３，１３及び上下の横突片部１３ａ，１３ａの戸先側端部（戸幅方向外側端部）に連なるように、かつこれらから上下方向外側に向けて延びるように設けられている。また、これら上下の係合片部１９，１９は、上下の横覆い片部１８ｂ，１８ｂのそれぞれの戸先側端部（戸幅方向外側端部）にも連なるように設けられている。
【００３４】
これら上下の係合片部１９，１９の戸厚方向に沿う寸法は、上下の横壁部１３，１３と上下の横突片部１３ａ，１３ａとを足し合わせた同方向に沿う寸法と同寸法とされている。また、これら上下の係合片部１９，１９の上下方向に沿う寸法は、上下の横覆い片部１８ｂ，１８ｂの同方向に沿う寸法と同寸法とされている。
また、これら上下の係合片部１９，１９の戸尻側（戸幅方向中心側）に向く面には、図４（ａ）に示すように、係止部を構成する第３係止部１９ａ，１９ａが設けられている。つまり、これら第３係止部１９ａ，１９ａは、上記した第１係止部１４ｂ及び第２係止部１７ａとは、逆側面に設けられている。また、これら第３係止部１９ａ，１９ａは、上記同様、上下に延びるように形成された複数の係止突条を戸厚方向に並列状に設けた構成とされている。
また、これら第３係止部１９ａ，１９ａは、上下の係合片部１９，１９における横覆い片部１８ｂ，１８ｂ側部位から戸先側に段下状に厚さが小とされた戸厚方向他方側部位に設けられている。また、上下の係合片部１９，１９における横覆い片部１８ｂ，１８ｂ側部位の戸尻側に向く面は、引戸パネル３０の戸先側端面に当接または近接して配される構成とされている。
【００３５】
第２引手部材２０の貫通孔２２は、第１引手部材１０の底板部１２に応じた形状とされ、戸厚方向（組付方向）に見て、略方形孔状とされている（図３（ｂ）及び図４（ｂ）参照）。
第２引手部材２０の第２手掛凹所２１、つまり貫通孔２２の上下両側を区画する上下の横壁部２３，２３は、上下方向に厚さ方向を沿わせて配される板状とされている。これら上下の横壁部２３，２３は、互いに平行状に設けられている。これら上下の横壁部２３，２３は、上下方向外側に向く面が第１引手部材１０の上下の横突片部１３ａ，１３ａの互いに対向する面に当接または近接して配される構成とされている。また、これら上下の横壁部２３，２３の戸厚方向中心側端面は、第１引手部材１０の底板部１２の戸厚方向他方側に向く面（第２手掛凹所２１の凹底面を構成する面）に当接または近接して配される構成とされている。
【００３６】
第２引手部材２０の第２手掛凹所２１、つまり貫通孔２２の戸尻側を区画する戸尻側壁部２４は、図１（ｂ）に示すように、戸幅方向に厚さ方向を沿わせて配される板状とされている。この戸尻側壁部２４の上下の縁部は、図３（ｂ）及び図４（ｂ）に示すように、上下の横壁部２３，２３に連なるように設けられている。また、この戸尻側壁部２４は、第１引手部材１０の戸尻側突片部１４ａの戸先側に重ね合わせられるように配される構成とされている。この戸尻側壁部２４の戸尻側に向く面には、戸尻側突片部１４ａに設けられた第１係止部１４ｂに互いに係止する係止部を構成する第１係止部２４ａが設けられている。この第１係止部２４ａは、上下に延びるように形成された複数の係止突条を戸厚方向に並列状に設けた構成とされている。なお、これら第１係止部１４ｂ，２４ａとしては、このような構成とされたものに限られず、第１引手部材１０と第２引手部材２０とが戸厚方向に組み付けられた際に互いに係止するものであれば、どのようなものでもよい。
【００３７】
また、この戸尻側壁部２４の厚さ寸法（戸幅方向に沿う寸法）は、戸尻側突片部１４ａの同方向に沿う厚さ寸法と略同寸法とされている。つまり、この戸尻側壁部２４は、戸先側（戸幅方向外側）に向く面が第１引手部材１０の戸尻側壁部１４の同方向に向く面と略同一平面状となるように設けられている。
また、この戸尻側壁部２４の戸厚方向中心側端面は、第１引手部材１０の底板部１２の戸厚方向他方側に向く面に当接または近接して配される構成とされている。
また、第１引手部材１０と概ね同様、第２引手部材２０に、取付凹所３３の戸厚方向他方側縁部を覆う覆い片部２８を設けた構成としている。この覆い片部２８は、戸厚方向に厚さ方向を沿わせて配される板状とされ、取付凹所３３の戸厚方向他方側縁部近傍の表面３１を覆うように設けられている。また、この覆い片部２８の戸厚方向中心側に向く面は、引戸パネル３０の戸厚方向他方側の表面３１に当接または近接して配される構成とされている。
【００３８】
また、覆い片部２８は、戸尻側壁部２４の戸厚方向他方側（外側）端部から戸尻側に向けて突出する戸尻側覆い片部２８ａと、上下の横壁部２３，２３の戸厚方向他方側（外側）端部から上下方向外側に向けて突出する横覆い片部２８ｂ，２８ｂと、を備えている。これら戸尻側覆い片部２８ａと上下の横覆い片部２８ｂ，２８ｂとは、上記同様、一連状に設けられている。つまり、覆い片部２８は、戸厚方向に見て、取付凹所３３の戸厚方向他方側縁部を囲むように、略Ｃ字状（略コ字状）に設けられている。また、戸尻側覆い片部２８ａの戸幅方向に沿う幅寸法を、第１引手部材１０の戸尻側覆い片部１８ａの同方向に沿う幅寸法と略同寸法としている。また、上下の横覆い片部２８ｂ，２８ｂの上下方向に沿う幅寸法を、第１引手部材１０の上下の横覆い片部１８ｂ，１８ｂの同方向に沿う幅寸法と略同寸法としている。また、図例では、上記同様、戸尻側覆い片部２８ａの戸幅方向に沿う幅寸法を、上下の横覆い片部２８ｂ，２８ｂの上下方向に沿う幅寸法よりも小とした例を示しているが、このような例に限られない。
【００３９】
第２引手部材２０の第２手掛凹所２１、つまり貫通孔２２の戸先側を区画する戸先側壁部２５は、図１（ｂ）に示すように、戸幅方向に厚さ方向を沿わせて配される板状とされている。この戸先側壁部２５は、上記同様、戸厚方向外側面（戸厚方向他方側に向く面）が上下の横覆い片部２８ｂ，２８ｂから戸厚方向中心側に段落状となるように設けられている。また、この戸先側壁部２５は、上記同様、手指の手掛けが可能で、かつ引戸パネル３０が全開状態で戸袋６の戸袋口を構成する中方立４６の対向面４７との間に手指の挿入が可能となるように設けられている。
また、この戸先側壁部２５の上下の縁部は、図４（ｂ）に示すように、上下の横壁部２３，２３に連なるように設けられている。また、この戸先側壁部２５は、第１引手部材１０の底板部１２よりも戸厚方向一方側に延出するように設けられ、その戸尻側（戸幅方向中心側）に向く面が第１引手部材１０の戸先側壁部１５の戸幅方向外側に向く面に当接または近接して配される構成とされている。また、この戸先側壁部２５の延出方向先端面は、第１引手部材１０の帯状表面部１６の戸厚方向中心側に向く面（裏面）に当接または近接して配される構成とされている。
【００４０】
また、本実施形態では、図１（ｂ）に示すように、上記同様、この戸先側壁部２５の戸厚方向外側端部（戸厚方向他方側端部）から戸先側（戸幅方向外側）に向けて延びる帯状表面部２６を設けた構成としている。この帯状表面部２６は、戸厚方向外側に向く面が引戸パネル３０の表面３１と平行状に配される構成とされている。また、この帯状表面部２６は、戸厚方向外側に向く面が上下の横覆い片部２８ｂ，２８ｂから戸厚方向中心側に段落状となるように設けられている。
この帯状表面部２６は、延出方向先端面（戸幅方向外側端面）が当該第２引手部材２０の戸幅方向外側端面と同一平面状となるように設けられている。この帯状表面部２６の戸幅方向に沿う幅寸法は、上記同様、戸先側壁部２５への手掛性の観点等から適宜の寸法としてもよい。また、この帯状表面部２６は、戸厚方向に厚さ方向を沿わせて配される板状とされている。また、この帯状表面部２６の上下の縁部は、上下の横壁部２３，２３に連なるように設けられている。また、本実施形態では、この帯状表面部２６の延出方向先端部から戸厚方向一方側に向けて突出するように戸先側係合片部２７を設けた構成とされている。
【００４１】
戸先側係合片部２７は、戸幅方向に厚さ方向を沿わせて配される板状とされている。また、この戸先側係合片部２７は、第１引手部材１０の戸先側係合片部１７の戸先側に重ね合わせられるように配される構成とされている。この戸先側係合片部２７の戸尻側に向く面には、戸先側係合片部１７に設けられた第２係止部１７ａに互いに係止する係止部を構成する第２係止部２７ａが設けられている。この第２係止部２７ａは、上下に延びるように形成された複数の係止突条を戸厚方向に並列状に設けた構成とされている。なお、これら第２係止部１７ａ，２７ａとしては、このような構成とされたものに限られず、第１引手部材１０と第２引手部材２０とが戸厚方向に組み付けられた際に互いに係止するものであれば、どのようなものでもよい。
【００４２】
また、この戸先側係合片部２７の突出方向先端面は、第１引手部材１０の戸先側係合片部１７よりも戸先側に突出するように設けられた帯状表面部１６の戸厚方向中心側に向く面（裏面）に当接または近接して配される構成とされている。引手１は、第１手掛凹所１１及び第２手掛凹所２１の戸先側部位に、戸先側係合片部２７、戸厚方向両側の帯状表面部１６，２６及び戸厚方向両側の戸先側壁部１５，２５によって外郭形状が区画される略角柱状の把持部を設けた構成とされている。
また、この戸先側係合片部２７の上下の縁部には、図３（ｂ）に示すように、戸尻側に段下状に設けられた段壁部が設けられている。これら上下の段壁部は、上下の横壁部２３，２３に連なるように設けられ、上記した第１引手部材１０の戸先側係合片部１７の上下両側に形成された隙間に挿入される構成とされている。また、これら上下の段壁部に、第１引手部材１０の上下の係合片部１９，１９の互いに対向する縁部が当接または近接して配される構成とされている。
【００４３】
また、本実施形態では、第２引手部材２０に、取付凹所３３の戸先側の上下の縁部を覆うように配される上下の係合片部２９，２９を設けた構成としている。これら上下の係合片部２９，２９は、図３（ｂ）に示すように、戸先側係合片部２７の上下両側に、第１引手部材１０の上下の横突片部１３ａ，１３ａが挿入される隙間を介して設けられている。
これら上下の係合片部２９，２９は、戸幅方向に厚さ方向を沿わせて配される板状とされ、取付凹所３３の戸先側の上下の縁部近傍の戸先側端面を覆うように設けられている。また、これら上下の係合片部２９，２９は、戸尻側に向く面が引戸パネル３０の戸先側端面に当接または近接して配される構成とされている。
【００４４】
また、これら上下の係合片部２９，２９は、図３（ｂ）及び図４（ｂ）に示すように、上下の横覆い片部２８ｂ，２８ｂのそれぞれの戸先側端部（戸幅方向外側端部）に連なるように設けられている。また、これら上下の係合片部２９，２９は、第１引手部材１０の上下の係合片部１９，１９の厚さに対応させて、上下の横覆い片部２８ｂ，２８ｂのそれぞれの戸先側端面よりも戸幅方向中心側に位置するように設けられている。上下の横覆い片部２８ｂ，２８ｂの戸先側端部の戸厚方向中心側面に、第１引手部材１０の上下の係合片部１９，１９の戸厚方向他方側に向く面が当接または近接して配される構成とされている（図３（ａ）参照）。また、上下の横覆い片部２８ｂ，２８ｂの戸先側端面、戸先側係合片部２７の戸先側面及び第１引手部材１０の上下の係合片部１９，１９の戸先側面は、略同一平面状となるように設けられている。
【００４５】
また、これら上下の係合片部２９，２９は、第１引手部材１０の上下の係合片部１９，１９の戸尻側に重ね合わせられるように配される構成とされている。これら上下の係合片部２９，２９の戸先側に向く面には、第１引手部材１０の上下の係合片部１９，１９に設けられた第３係止部１９ａ，１９ａに互いに係止する係止部を構成する第３係止部２９ａ，２９ａが設けられている。これら第３係止部２９ａ，２９ａは、上下に延びるように形成された複数の係止突条を戸厚方向に並列状に設けた構成とされている。なお、これら第３係止部１９ａ，２９ａとしては、このような構成とされたものに限られず、第１引手部材１０と第２引手部材２０とが戸厚方向に組み付けられた際に互いに係止するものであれば、どのようなものでもよい。
【００４６】
上記のような構成とされた引手１は、図５（ｃ）に示すように、戸尻側突片部１４ａの挿通孔１４ｃに止具９を挿通して引戸パネル３０の取付凹所３３に取り付けられた第１引手部材１０に対して戸厚方向に第２引手部材２０を組み付けて取り付けるようにしてもよい。
なお、各引手部材１０，２０の上記した板状とされた部位１２〜１９，２３〜２９の厚さは、強度上の観点や軽量化を図る観点等から適宜の厚さとしてもよく、例えば、０．５ｍｍ〜３ｍｍ程度としてもよい。また、各引手部材１０，２０は、金属系材料や硬質の合成樹脂系材料からそれぞれ一体的に形成されたものでもよい。
【００４７】
本実施形態に係る引手１及びこれを備えた引戸２は、上述のような構成としたことで、引手１を戸先に取り付け可能でありながらも、構造の簡略化を図ることができる。
つまり、引手１は、引戸パネル３０の戸先側端部３２の高さ方向途中部位に設けられ戸幅方向外側に開口する切欠状の取付凹所３３に取り付けられる構成とされている。従って、戸厚方向に貫通する貫通孔に取り付けられるものと比べて、より戸先に取り付けることができる。
また、引手１は、戸厚方向両側から組み付けられて互いに係止する係止部１４ｂ，２４ａ，１７ａ，２７ａ，１９ａ，２９ａによって一体化される第１引手部材１０及び第２引手部材２０を備えている。また、第１引手部材１０に、取付凹所３３の内面を構成する内底面３４に止着される止具９の止着部を構成する戸尻側突片部１４ａを設けた構成としている。従って、引戸パネル３０の取付凹所３３に止具９によって取り付けられた第１引手部材１０に対して互いの係止部１４ｂ，２４ａ，１７ａ，２７ａ，１９ａ，２９ａを係止させることで第２引手部材２０を取り付けることができる。
【００４８】
また、第２引手部材２０に、第１引手部材１０の戸尻側突片部１４ａを覆うカバー部を構成する戸尻側壁部２４を設けた構成としている。従って、引手部材とは別体的にカバーを設けたものと比べて、部品点数を削減することができ、構造の簡略化を図ることができる。
また、第２引手部材２０に、第２手掛凹所２１の内周部を区画する周壁部２３，２３，２４，２５の内周側において第１引手部材１０の底板部１２を第２手掛凹所２１の凹底部として露出させる貫通孔２２を設けた構成としている。従って、第１引手部材１０の底板部１２によって第１手掛凹所１１及び第２手掛凹所２１の両方の凹底部を区画することができる。これにより、各引手部材１０，２０に底板部を設けたものと比べて、構造の簡略化を図ることができ、また、第１手掛凹所１１及び第２手掛凹所２１の深さ寸法を効果的に大きくすることができる。
【００４９】
また、本実施形態では、第１引手部材１０の止着部を構成する戸尻側突片部１４ａを、取付凹所３３の戸幅方向外側に向く内底面３４に沿わせられる構成としている。従って、戸幅方向外側から止具９を止着することができ、取付凹所３３の戸高方向に沿う方向に向く内側面３５，３５に沿わせられる部位に止着部を設けたものと比べて、作業性を向上させることができる。なお、このような態様に代えて、または加えて、第１引手部材１０の止着部を内側面３５，３５に沿わせられる部位に設けた構成としてもよい。
また、本実施形態では、第２引手部材２０のカバー部を、当該第２引手部材２０によって形成される第２手掛凹所２１の内周部を区画する周壁部を構成する戸尻側壁部２４としている。従って、第２手掛凹所２１の内周部を区画する周壁部とは別途にカバー部を設けたものと比べて、構造の簡略化を図ることができ、また、カバー部としての戸尻側壁部２４が不自然な印象を与えることがないので、見栄えを向上させることができる。なお、このような態様に代えて、第２手掛凹所２１の内周部を区画する周壁部とは別途にカバー部を設けた態様等としてもよい。
【００５０】
また、本実施形態では、第１引手部材１０及び第２引手部材２０によって形成される戸厚方向両側の手掛凹所１１，２１の戸先側部位を区画する戸先側壁部１５，２５を、引戸パネル３０の戸厚方向両側の表面３１，３１から段落状に設けた構成としている。つまりは、上記のように、引手１の戸先側部位の戸厚方向両側に、各手掛凹所１１，２１に向けて手指の挿入可能な凹所を設けた構成としている。従って、本実施形態のように、引戸パネル３０を戸袋納めで設けた場合や、引戸パネル３０の厚さ方向一方側に袖壁や他の引戸パネル等が近接して配されるような場合にも、手指を挿入し易くなり、手掛性を向上させることができる。なお、このような態様に代えて、戸先側壁部１５，２５の戸厚方向外側面が引戸パネル３０の戸厚方向両側の表面３１，３１と概ね同一平面状となるように設けられた構成等としてもよい。
【００５１】
また、上記した例では、引戸パネル３０を戸袋納めで設けた例を示しているが、このような態様に限られず、袖壁納めや他の引戸パネルと引違状に設けられたものでもよく、その他、種々の態様で設置されるものでもよい。また、本実施形態に係る引手１が取り付けられる引戸パネル３０としては、出入口を構成する開口３を開閉するものに限られず、間仕切パネルを構成するものや、収納の開口を開閉するものでもよく、どのようなものでもよい。
また、上記した例では、引戸パネル３０を上レール４２に吊下支持される態様とした例を示しているが、引戸パネル３０の下端側に走行対象を走行する戸車やキャスター等の転動体を設けた下荷重型としてもよい。
【００５２】
また、上記した例では、第１手掛凹所１１及び第２手掛凹所２１の戸先側部位に略角柱状の把持部が形成される構成とした例を示しているが、このような態様に代えて、戸先側部位を、戸幅方向に厚さ方向を沿わせた板状とされたものとしてもよい。
また、上記した例では、第１引手部材１０及び第２引手部材２０の戸先側及び戸尻側のそれぞれに互いに係止する係止部１４ｂ，２４ａ，１７ａ，２７ａ，１９ａ，２９ａを設けた例を示しているが、このような態様に限られない。このような係止部１４ｂ，２４ａ，１７ａ，２７ａ，１９ａ，２９ａに代えて、または加えて、第１引手部材１０及び第２引手部材２０の上下両側のそれぞれに互いに係止する係止部を設けた態様等としてもよい。
【００５３】
また、上記した例では、第２引手部材２０に、第１引手部材１０の底板部１２を露出させる貫通孔２２を設けた例を示しているが、このような貫通孔２２に代えて、第２手掛凹所２１の凹底部を構成する底板部を設けた構成としてもよい。
また、上記した例では、第２引手部材２０に、第１引手部材１０の止着部を構成する戸尻側突片部１４ａを覆うカバー部を構成する戸尻側壁部２４を設けた例を示しているが、このようなカバー部を設けていない構成としてもよい。上記した引手１及び引戸パネル３０を構成する各部及び各部材の具体的構成としては、上記した構成に限られず、その他、種々の変形が可能である。
【符号の説明】
【００５４】
１      引手
２      引戸
１０    第１引手部材
１１    第１手掛凹所（手掛凹所）
１２    底板部
１３    横壁部（周壁部）
１４    戸尻側壁部（周壁部）
１４ａ  戸尻側突片部（止着部）
１４ｂ  第１係止部（係止部）
１５    戸先側壁部（周壁部）
１７ａ  第２係止部（係止部）
１９ａ  第３係止部（係止部）
２０    第２引手部材
２１    第２手掛凹所（手掛凹所）
２２    貫通孔
２３    横壁部（周壁部）
２４    戸尻側壁部（カバー部、周壁部）
２４ａ  第１係止部（係止部）
２５    戸先側壁部（周壁部）
２７ａ  第２係止部（係止部）
２９ａ  第３係止部（係止部）
３０    引戸パネル
３１    表面
３２    戸先側端部
３３    取付凹所
３４    内底面（内面）
９      止具
【図１】
2020016099.tif 000003
【図２】
2020016099.tif 000004
【図３】
2020016099.tif 000005
【図４】
2020016099.tif 000006
【図５】
2020016099.tif 000007